(57)【特許請求の範囲】
【請求項１】
表面（４、４’）と、裏面（１２、１２’）と、本体（９、９’）と、互に対向するパネル端部に対をなして設けられた相補的な係止手段と、フック形状部（Ｈ）、すなわち、収容フック（７）および前記収容フック（７）に対して対向側にある鉤引フック（８）を有する少なくとも一対の係止手段とを含むパネル（１、１’）であって、前記収容フックが、前記本体から遠位側に配置されたフック縁部（１０）と、前記本体に対して近位側に配置された収容凹部（１１）とを有し、前記収容凹部が前記表面に向かって開き、前記鉤引フックが、前記本体に対して近位側に配置されかつ前記裏面に開いた鉤引凹部（１３）を設けられ、前記本体から遠位側に配置されかつ垂直接合方向（Ｔ）において前記収容フック（７）の前記収容凹部（１１）に嵌入する鉤引段部（１４）を有し、前記鉤引フック（８）が、前記本体から遠位に、横方向接合面（１５）とさらには垂直方向に作用する鉤引外郭部（１６）とを有し、前記収容フック（７）が、前記本体に対して近位に、横方向接合面（１７）とさらにはポジティブロック外郭部（１８）とを有し、前記ポジティブロック外郭部（１８）が、敷設されたパネルの平面に対して垂直方向の係止を実施することができるように、前記鉤引フック（８）の本体から遠位にある前記鉤引外郭部（１６）とポジティブロック関係で嵌合し、前記鉤引フック（８）が、前記鉤引フック（８）の鉤引段部（１４）の前記本体に対して近位側に配置された水平方向係止面（１９）を有し、前記収容フック（７）が、前記収容凹部（１１）の前記本体から遠位側に配置された水平方向係止面（２０）を有し、前記収容フック（７）には収容開口部（２１）が形成され、前記収容開口部（２１）を通して、前記鉤引段部（１４）が実質的に前記接合方向（Ｔ）において前記収容凹部（１１）に挿入されることができ、
前記鉤引フック（８）の前記水平方向係止面（１９）がその面の一部によって前記収容フック（７）の前記水平方向係止面（２０）と接する程度に、段部端部が接合運動中に前記フック形状部（Ｈ）の弾性変形なしに前記収容開口部（２１）に最初に嵌入するように、前記鉤引段部（１４）および前記収容開口部（２１）が構成されており、
前記収容フック（７）の裏面が前記パネルの前記裏面（１２、１２’）の前記パネル平面と同一の平面内に配置され、
前記鉤引フックおよび／または前記収容フックが、その弾性屈曲性によって収容開口部（２１）の幅を大きくすることができる可撓脚部（２２、２３）を有し、
前記収容フック（７）の前記フック縁部（１０）と前記鉤引フック（８）の前記鉤引凹部（１３）とが下部掛止手段（Ｖ２）を形成し、前記収容フックの前記フック縁部の前記本体から遠位側には雄型掛止要素（１０ａ）または雌型掛止要素（１０ｃ）が設けられ、これに相補的に、前記鉤引凹部（１３）が、前記本体に対して近位側に、雌型掛止要素（１３ａ）、または雄型掛止要素（１３ｃ）を有することを特徴とするパネル（１、１’）。
【請求項２】
前記鉤引外郭部（１６）および前記ポジティブロック外郭部（１８）が、上部掛止手段（Ｖ１）を形成し、前記鉤引外郭部が雌型掛止要素（１６ａ）または雄型掛止要素（１６ｃ）を有し、これと相補的に、前記ポジティブロック外郭部（１８）が、雄型掛止要素（１８ａ）または雌型掛止要素（１８ｃ）を有することを特徴とする請求項１に記載のパネル。
【請求項３】
各雌型掛止要素が、前記パネルの前記表面（４、４’）または前記裏面（１２、１２’）に向けられている掛止面（１３ｂ、１６ｂ、１０ｄ、１８ｄ）を有し、各雄型掛止要素が、前記パネルのそれぞれの他方の側に向けられている相補的な掛止面（１０ｂ、１３ｄ、１６ｄ、１８ｂ）を有し、２つのパネルの係止状態において、前記雌型掛止要素の前記掛止面が、前記雄型掛止要素の前記掛止面と共に、係止されたパネル同士の前記パネル平面に対して垂直方向に互いに離れるような運動を妨げることを特徴とする請求項２に記載のパネル。
【請求項４】
前記雌型掛止要素の前記掛止面（１３ｂ、１６ｂ、１０ｄ、１８ｄ）が、前記２つのパネルの係止状態において、前記雄型掛止要素の前記掛止面（１０ｂ、１３ｄ、１６ｄ、１８ｂ）と接することを特徴とする請求項３に記載のパネル。
【請求項５】
前記２つのパネルの係止状態において、前記雌型掛止要素の前記掛止面と前記関連する雄型掛止要素の前記掛止面との間に、隙間が設けられることを特徴とする請求項３に記載のパネル。
【請求項６】
前記鉤引外郭部（１６）および前記ポジティブロック外郭部（１８）が上部掛止手段（Ｖ１）を形成し、前記接合運動中、最初に前記上部掛止手段（Ｖ１）が、次に前記下部掛止手段（Ｖ２）が共に完全に接合されることを特徴とする請求項１〜５のいずれか１項に記載のパネル。
【請求項７】
前記フック形状部（Ｈ）の前記水平方向係止面同士（１９、２０）が、前記表面（４、４’）の面法線に対して０°〜２５°の角度にわたって傾斜し、前記２つのパネルの係止状態において、実質的に相互に平行な関係で配置されることを特徴とする請求項１〜６のいずれか１項に記載のパネル。
【請求項８】
前記フック縁部（１０）が、前記本体から遠位側に傾斜摺動面を有することを特徴とする請求項１〜７のいずれか１項に記載のパネル。
【請求項９】
前記鉤引段部（１４）が、前記鉤引段部（１４）の前記本体から遠位の側面に傾斜摺動面（１４ａ）を有することを特徴とする請求項１〜８のいずれか１項に記載のパネル。
【請求項１０】
一対の旋回形状部分（Ｓ）、すなわち、溝壁（２ｂ）のアンダーカット形状（２ｃ）を有する溝状部分（２）と、サネ部裏面（３ｂ）のアンダーカット形状（３ｃ）を有するサネ状部分（３）とが設けられることを特徴とする請求項１〜９のいずれか１項に記載のパネル。
【請求項１１】
前記表面（４、４’）には装飾層が設けられることを特徴とする請求項１〜１０のいずれか１項に記載のパネル。
【請求項１２】
前記表面（４、４’）には、前記本体（９、９’）または前記装飾層を見ることができる透明カバー層が設けられることを特徴とする請求項１１に記載のパネル。
【請求項１３】
前記パネルの前記裏面（１２、１２’）には裏打ち層が設けられることを特徴とする請求項１〜１２のいずれか１項に記載のパネル。
【請求項１４】
前記本体（９、９’）が少なくとも部分的に木材を含むことを特徴とする請求項１〜１３のいずれか１項に記載のパネル。
【請求項１５】
前記本体（９、９’）が少なくとも部分的にプラスチック材料を含むことを特徴とする請求項１〜１４のいずれか１項に記載のパネル。
【請求項１６】
２つの長手方向端部（２４ａ、２４ｂ）および２つの横方向端部（２４ｃ、２４ｄ）が設けられた新しい四辺形パネル（２４）を、同一形状のパネルから既に敷設されている先のパネル列（Ｐ２）に、および前記パネル列（Ｐ２）に同じ最前列のパネル列Ｐ３で既に接合されている同一形状のパネル（２５）に同時に係止する方法であって、前記新しいパネル（２４）を前記敷設されているパネルの平面内に旋回させることによって、第１の長手方向端部（２４ａ）がポジティブロック関係で前記先のパネル列（Ｐ２）に接合され、それと同時に、前記新しいパネル（２４）の第１の横方向端部（２４ｃ）が、ハサミのような運動によって、前記同じパネル列（Ｐ３）で前記接合されている隣接パネル（２５）の第２の横方向端部（２５ｄ）とポジティブロック係合され、さらに、前記パネルの前記第１の横方向端部のそれぞれが第１の横方向接合面（１５）を有し、前記パネルの前記第２の横方向端部のそれぞれが第２の横方向接合面（１７）を有し、前記第１の横方向接合面（１５）が、前記第１の長手方向端部に向かう当該端部において、前記パネル列（Ｐ２）に同じパネル列Ｐ３で前記接合されているパネル（２５）の前記第２の横方向接合面（１７）と当接され、長手方向接合隙間（Ｌ）および横方向接合隙間（Ｑ）が前記新しいパネル（２４）と前記先のパネル列（Ｐ２）との間に作られることによって、前記新しいパネルの前記長手方向端部の前記ポジティブロック接合および前記横方向端部の前記ポジティブロック係合が作られ、前記横方向接合隙間（Ｑ）の楔状先端が前記先のパネル列（Ｐ２）の方向を向いており、前記長手方向接合隙間（Ｌ）の楔状先端が前記新しいパネル（２４）の前記第２の横方向端部（２４ｄ）の方向を向いており、最後に、前記新しいパネルが前記敷設されているパネルの前記平面内に旋回され、前記横方向端部の前記ポジティブロック係合と前記長手方向端部の前記ポジティブロック接合が完全に嵌合され、前記楔状の接合隙間（Ｌ、Ｑ）が排除されることを特徴とする請求項１〜１５のいずれか１項に記載のパネルの係止方法。
【請求項１７】
前記新しいパネル（２４）が、先のパネル列Ｐ２に対してその平行な向きから一時的に持ち込まれ、前記長手方向接合隙間（Ｌ）の前記楔状先端が前記新しいパネル（２４）の前記第１の長手方向端部（２４ａ）の遠位端に形成されることによって、前記長手方向接合隙間（Ｌ）が作られることを特徴とする請求項１６に記載の方法。
【請求項１８】
前記新しいパネル（２４）が、前記新しいパネル（２４）の平面から前記新しいパネル（２４）の表面（４、４’）の方向に湾曲して、前記新しいパネル（２４）の平坦な形状から一時的に変形されることによって、前記長手方向接合隙間（Ｌ）が作られることを特徴とする請求項１６に記載の方法。
【発明の詳細な説明】
【技術分野】
【０００１】
本発明は、表面と、裏面と、本体と、互に対向するパネル端部に対をなして設けられた相補的な係止手段と、フック形状部、すなわち、収容フックおよびこの収容フックに対して対向側にある鉤引フックを有する少なくとも一対の係止手段とを含むパネルであって、収容フックが、本体から遠位側に配置されたフック縁部と、本体に対して近位側に配置された収容凹部とを有し、収容凹部が表面に向かって開き、鉤引フックが、本体に対して近位側に配置されかつ裏面に開いた鉤引凹部を設けられ、本体から遠位側に配置されかつ垂直接合方向において収容フックの収容凹部に嵌入する鉤引段部を有し、鉤引フックが、本体から遠位に、横方向接合面とさらには垂直方向に作用する鉤引外郭部とを有し、収容フックが、本体に対して近位に、横方向接合面とさらにはポジティブロック外郭部とを有し、このポジティブロック外郭部が、敷設されたパネルの平面に対して垂直方向の係止を実施することができるように、鉤引フックの本体から遠位にある鉤引外郭部とポジティブロック関係で嵌合し、鉤引フックが、鉤引フックの鉤引段部の本体に対して近位側に配置された水平方向係止面をに有し、収容フックが、収容凹部の本体から遠位側に配置された水平方向係止面を有し、収容フックには収容開口部が形成され、この収容開口部を通して、鉤引段部が実質的に接合方向において収容凹部に挿入されることができ、鉤引フックの水平方向係止面がその面の一部によって収容フックの水平方向係止面と接する程度に、段部端部が接合運動中にフック形状部の弾性変形なしに収容開口部に最初に嵌入するように、鉤引段部および収容開口部が構成されるパネルに関する。
【０００２】
Ａ２  収容フックの裏面をパネルの裏面の平面と同一の平面内に配置することができる。
【０００３】
Ａ３  鉤引外郭部およびポジティブロック外郭部は望ましくは上部掛止手段を形成し、この場合、鉤引外郭部は雌型または雄型の掛止要素を有し、ポジティブロック外郭部は鉤引外郭部に相補的な雌型掛止要素または雄型掛止要素を有する。
【０００４】
Ａ４  収容フックのフック縁部と鉤引フックの鉤引凹部とが下部掛止手段を形成するとさらに有利であり、この場合、収容フックのフック縁部の本体から遠位側には雌型掛止要素または雄型掛止要素が設けられ、これに相補的に、鉤引凹部が、本体に対して近位側に雌型掛止要素または雄型掛止要素を有する。
【０００５】
Ａ５  各雌型掛止要素は、パネルの表面または裏面に向けられている掛止面を有する。このことは、掛止面の面法線がパネルの対応する側に向けられていることを意味する。さらに、各雄型掛止要素は、パネルのそれぞれの他方の側に向かって導かれた掛止面を有する。それに関連して、２つのパネルの係止状態において、雌型掛止要素の掛止面が雄型掛止要素の掛止面と共に、係止されたパネル同士のパネル平面に対して垂直方向に互いに離れるような運動を妨げることが意図される。
【０００６】
Ａ６  好ましくは、雌型掛止要素の掛止面は２つのパネルの係止状態において雄型掛止要素の掛止面と当接する。このようにして、下部掛止手段は、敷設されたパネルの平面に対して垂直方向の確実な係止作用に寄与する。
【０００７】
Ａ７  代わりに、２つのパネルの係止状態において、雌型掛止要素の掛止面と、関連する雄型掛止要素の掛止面との間に隙間を設けてもよい。そのことは、例えば横方向端部同士の間の相対運動を実施すべきである場合の接合手順を簡単にすることができる。１０分の２，３ミリメートル、好ましくは約０．１ｍｍの隙間で十分であると思われる。
【０００８】
Ａ８  パネルは、望ましくは、接合運動中、最初に上部掛止手段が、次に下部掛止手段が完全に組み合わされるように設計される。
【０００９】
Ａ９  鉤引フックおよび／または収容フックは可撓領域を有することができる。可撓領域は、望ましくは、その弾性屈曲性によって収容開口部の幅を大きくすることができ、その結果、鉤引段部を収容凹部に完全に挿入することができ、さらに、鉤引フックの鉤引外郭部が収容フックのポジティブロック外郭部に嵌合するようなものである。明らかに、鉤引外郭部およびポジティブロック外郭部も押圧されて変形されるが、本体の材料が硬くなると、それに応じて鉤引外郭部およびポジティブロック外郭部の弾性変形が小さくなり、本体の材料が脆くなると、それに応じて可撓領域の弾性変形の大きさが大きくなる。ここで、本体が比較的硬質かつ脆性の材料から形成されるときでも、当該設計形状により、鉤引外郭部とポジティブロック外郭部との間にポジティブロック接合のための高度なアンダーカット形状を提供することが可能になる。
【００１０】
Ａ１０  可撓領域は、簡単にするために可撓脚部の形態にある。パネルの横方向端部から突出するフック要素の領域に可撓領域を設けることができる。
【００１１】
Ａ１１  表面の面法線に対して０°〜４５°の角度にわたって、フック形状部の水平方向係止面を傾斜させることができる。傾斜角度は、実質的に、特に雌型または雄型の掛止要素が配置される箇所の鉤引外郭部およびポジティブロック外郭部の形状に依存する。７°〜２５°の傾斜角度が望ましいことが証明されている。傾向としては、鉤引外郭部に雌型掛止要素が設けられ、ポジティブロック外郭部が、雌型掛止要素に適合された雄型掛止要素を有する場合に、より小さな傾斜を設けることができる。傾斜角度が小さくなると、それに応じて保持力が高くなり、パネルが、敷設されたパネルの平面において当該横方向端部に対して垂直方向に引き離されることを防止する。したがって、＜７°の傾斜角度が好ましく、約３°の傾斜角度が特に有利である。基本的には、２つの水平方向係止面の負の傾斜角度も可能である。このようにして、２つの水平方向係止面はパネルの平面に対して垂直方向の係止作用を達成するであろう。雌型掛止要素と雄型掛止要素とを相互交換するならば、鉤引外郭部をポジティブロック外郭部と接合することができるように、より大きな傾斜角度が一般に望ましい。
【００１２】
Ａ１２  フック縁部が、本体から遠位側に傾斜摺動面を有すると有用である。この傾斜摺動面は、パネルの平面に対して傾斜しかつ鉤引フックの鉤引凹部へのフック縁部の挿入を簡略化する面を含む。
【００１３】
Ａ１３  鉤引段部は、鉤引段部の本体から遠位の側面に傾斜摺動面を有することができる。傾斜摺動面は、パネルの平面に対して傾斜しかつ収容フックの収容凹部への鉤引段部の挿入を簡単にする面である。傾斜摺動面は望ましくはポジティブロック外郭部と協働するような構成である。傾斜摺動面がポジティブロック外郭部と接触する場合、ポジティブロック外郭部は傾斜摺動面に沿って摺動する。結果として、収容フックおよび鉤引フックをパネルの平面に対して平行方向に互いに離れるように移動させることができる。それと同時に、鉤引フックの水平方向係止面は、収容フックの水平方向係止面に圧接する力を加えることができる。収容フックの水平方向係止面に加えられるその力は収容フックに伝達され、これによって収容フックが弾性的に変形することができる。さらなる接合運動において、鉤引外郭部およびポジティブロック外郭部がポジティブロック関係で互いに嵌合する位置に、鉤引外郭部およびポジティブロック外郭部の両方が達するまで、鉤引外郭部がポジティブロック外郭部を通過する。このようにして、閉鎖接合を達成することが可能である。次に、２つのフック形状部の水平方向係止面は好ましくは互いにぴったりと当接させられる。
【００１４】
Ａ１４  一対の旋回形状部分、すなわち、溝壁のアンダーカット形状を有する溝状部分と、サネ部側のアンダーカット形状を有するサネ状部分とが設けられると有利である。
【００１５】
このことは、望ましくは、新しいパネルが、旋回形状部分によって既に所定の位置に設置されているパネルの相補的形状部分に嵌合されそのパネルの平面内に旋回されるように、敷設されることができるという利点を有する。
【００１６】
それに関連して、それと同時に、新しいパネルのフック形状部が、同じ列のパネルのフック形状部に係止されることが有利であり得る。そのために、新しいパネルの鉤引フックは実質的に垂直面内において、ハサミのような運動で下方に移動され、収容フックに導入される。ハサミのような運動の間、鉤引段部は最初にパネル端部の一端でのみ収容開口部内に突出する。ハサミのような接合運動が続くとき、鉤引段部は収容開口部内に徐々に移動する。パネルが最後に一つの平面内に配置されるとき、鉤引外郭部およびポジティブロック外郭部は互いに正確に嵌合され、すなわち、横方向接合面が互いに当接して閉鎖接合を形成する。
【００１７】
Ａ１５  装飾層を表面に設けることができる。
【００１８】
Ａ１６  本体または装飾層を見ることができる透明カバー層を表面に設けることも可能である。透明カバー層はその下の層を保護する働きをする。透明カバー層には、摩耗を低減する手段、例えばコランダム粒子、ガラス粒子等を設けることができる。
【００１９】
Ａ１７  パネルの裏面に裏打ち層を設けることができる。その裏打ち層は、パネルの歪みを緩和するために、表面に設けられた層に対するバランスとして作用する。
【００２０】
Ａ１８  本体は、木材、例えばＨＤＦ、ＭＤＦ、合板、ＯＳＢボード等を少なくとも部分的に含むことができる。
【００２１】
Ａ１９  本体がプラスチック材料を少なくとも部分的に含む場合、その本体は、熱可塑性ポリマー、例えばポリオレフィン、ポリプロピレン、ポリウレタンまたはポリアミドのような軟質および弾性のプラスチック材料とすることができる。いわゆる軟質ＰＶＣも軟質プラスチック材料として提供され得る。この軟質ＰＶＣは、可塑剤を含有するポリ塩化ビニルを含む。しかし基本的には、ＰＶＣは、可塑剤によってのみ低減することができる本来の硬度および脆性を有するアモルファスエラストマーである。このＰＶＣはまた、本来の硬度および脆性を有するプラスチック材料、例えば、可塑剤を全く含有しないかまたは少量の可塑剤を含有するＰＶＣのようなアモルファスエラストマーを含むことができる。
【００２２】
さらに、少なくとも１つのプラスチック層と、互に対向するパネル端部に対をなして設けられた相補的な係止手段と、フック形状部、すなわち、収容フックおよびこれに対して対向側にある鉤引フックを有する少なくとも一対の係止手段とを有する本体を備えるパネルであって、収容フックが、本体から遠位にあるフック縁部と、本体に対して近位に配置された収容凹部とを有し、収容凹部が表面に向かって開き、鉤引フックが、本体に対して近位に配置されかつ裏面に開いた鉤引凹部を設けられ、本体から遠位に配置されかつ垂直接合方向において収容フックの収容凹部に嵌入する鉤引段部を有し、鉤引フックが、本体から遠位側に、接合面とさらには垂直方向に作用する鉤引外郭部とを有し、収容フックが、本体に対して近位側に、接合面とさらにはポジティブロック外郭部とを有し、このポジティブロック外郭部が、垂直係止を実施することができるように、鉤引フックの本体から遠位側にある鉤引外郭部とポジティブロック関係で嵌合し、鉤引フックが、鉤引フックの鉤引段部の本体に対して近位側に配置された水平方向係止面を有し、収容フックが、収容凹部の本体から遠位側に配置された水平方向係止面を有し、収容フックには、狭くなる収容開口部が形成され、この狭くなる収容開口部を通して、鉤引段部が実質的に垂直接合方向において収容凹部に挿入されることができ、鉤引段部の段部自由端が収容フックの収容開口部の幅よりも狭く、鉤引フックの本体から遠位にある鉤引外郭部が鉤引フックの接合面の平面の後方に引っ込められ、収容フックの本体に対して近位側にあるポジティブロック外郭部が収容フックの接合面の平面を越えて少なくとも部分的に突出し、鉤引フックの水平方向係止面がその面の一部によって収容フックの水平方向係止面と接する程度に、段部端部が接合運動中にフック形状部の弾性変形なしに収容開口部に最初に嵌入するように、鉤引段部および収容開口部が構成され、収容フックが、可撓脚部の弾性屈曲性によって収容開口部の幅を大きくすることができるように適合された前記可撓脚部を有し、その結果、鉤引段部を収容凹部に完全に挿入することができ、さらには、鉤引フックの鉤引外郭部が収容フックのポジティブロック外郭部に嵌入されるパネルが提案される。
【００２３】
Ａ２０  ２つの長手方向端部および２つの横方向端部が設けられた新しい四辺形パネルを、同一形状のパネルから既に敷設された先のパネル列に、および同じパネル列に既に接合された同一形状のパネルに同時に係止する方法であって、新しいパネルを敷設されているパネルの平面内に旋回させることよって、第１の長手方向端部がポジティブロック関係で先のパネル列に接合され、それと同時に、新しいパネルの第１の横方向端部が、ハサミのような運動によって、同じパネル列の接合されているパネルの第２の横方向端部とポジティブロック係合され、さらに、パネルの第１の横方向端部のそれぞれが第１の横方向接合面を有し、パネルの第２の横方向端部のそれぞれが第２の横方向接合面を有し、第１の横方向接合面が、第１の長手方向端部に向かう当該端部において、同じパネル列の接合されているパネルの第２の横方向接合面と接触され、長手方向接合隙間および横方向接合隙間が、新しいパネルと先のパネル列との間に作られることによって、新しいパネルの長手方向端部および横方向端部のポジティブロック接合部が作られ、横方向接合隙間の楔状先端が先のパネル列の方向を向いており、長手方向接合隙間の楔状先端が、新しいパネルの第２の横方向端部の方向を向いており、最後に、新しいパネルが、敷設されているパネルの平面内に旋回され、横方向端部と長手方向端部とのポジティブロック係合部が完全に結合され、楔状の接合隙間が排除される方法が提案される。横方向端部は、横方向接合隙間によって横方向端部の長手方向に小さくシフト／変位される。変位は横方向接合隙間の最も広い位置の隙間寸法に一致する。変位を排除するために、横方向端部は互いに移動可能／変位可能でなければならない。次に、横方向端部の移動を容易にするために、掛止面の間に小さな隙間、例えば０．１ｍｍの隙間があるように、少なくとも１つの掛止手段、例えば下部掛止手段が構成されると望ましい。
【００２４】
Ａ２１  長手方向接合隙間を、一時的に先のパネル列とその平行な向きから持ち込まれる新しいパネルによって作ることができ、長手方向接合隙間の楔状先端が、新しいパネルの第１の長手方向端部の遠位端に形成される。
【００２５】
Ａ２２  他方、新しいパネルが、その平面から新しいパネルの表面の方向に湾曲して、新しいパネルの平坦な形状から一時的に変形されることによって、長手方向接合隙間を作ることができる。
【００２６】
本発明を以下の図面の簡単な説明に一例として示し、複数の実施形態に基づいて詳細に説明する。
【図面の簡単な説明】
【００２７】
【図１】旋回形状部分を有する第１の端部（長手方向端部）対の実施形態を示している。
【図２ａ−２ｃ】第２の端部（横方向端部）対の相補的な係止手段、および第２の端部（横方向端部）対の段階的な接合運動を示している。
【図３ａ−３ｃ】第２の端部（横方向端部）対の相補的な係止手段の第１の代替実施形態、および第２の端部（横方向端部）対の段階的な接合運動を示している。
【図４ａ−４ｃ】第２の端部（横方向端部）対の相補的な係止手段の第２の代替実施形態、および第２の端部（横方向端部）対の段階的な接合運動を示している。
【図５ａ−５ｃ】第２の端部（横方向端部）対の相補的な係止手段の第３の代替実施形態、および第２の端部（横方向端部）対の段階的な接合運動を示している。
【図６ａ−６ｃ】本発明によるパネルを敷設するための係止方法の概略図を示している。
【発明を実施するための形態】
【００２８】
図１は、本発明によるパネル１および１’の第１の端部対、すなわち一対の長手方向端部をそれぞれ示している。一対の長手方向端部は相補的な旋回形状部分Ｓを有する。これは、従来技術で知られており、かつ新しいパネルを先のパネル列に傾斜して取り付け、次に、新しいパネル１’を、敷設されているパネルの平面内に旋回させることによってポジティブロック関係で接合することができるような全てのポジティブロック形状部分として使用することが可能である。
【００２９】
図１の相補的な旋回部分Ｓは溝状部分２およびサネ状部分３を含む。溝状部分２は、下部溝壁２ｂよりも短い上部溝壁２ａを有する。また、下部溝壁には、サネ状部分３のためのアンダーカット形状の凹部２ｃが設けられる。さらに、凹部２ｃは水平方向係止面２ｄを有する。サネ状部分３には、サネ部表面３ａ、および新しいパネル１’の表面４に対してほぼ平行に配置されるサネ部裏面３ｂが設けられる。サネ部裏面は、アンダーカット形状３ｃ、および下部溝壁２ｂの水平方向係止面２ｄと協働する水平方向係止面３ｄを有する。新しいパネル１’の傾斜位置は、サネ状部分３’の破線で示した位置によって図１に示されている。サネ部裏面は、より長い下部溝壁２ｂに配置される。新しいパネル１’は、溝状部分２内に通じていサネ部の先端によって動かされ、次に、新しいパネル１’は、敷設されている１つまたは複数のパネルの平面内に旋回される。
【００３０】
図２ａ〜図２ｃの各々は、パネル１および１’の第２の端部対、すなわち横方向端部対の一部をそれぞれ示している。パネル１および１’は同一形状である。個々の各パネルは、一対の端部の互に対向する横方向端部に、相補的形状部分５および６をそれぞれ有する。したがって、パネル１の場合、端部（不図示）は、パネル１’の形状部分６と同一の形状部分を有し、パネル１’の場合、端部（不図示）は、パネル１の形状部分５と同一の形状部分を有する。
【００３１】
四辺形パネルの実施形態も可能であり、その第１の端部対（長手方向端部対）には、第２の端部対（横方向端部対）の形状部分と同一の相補的形状部分が形成される。横方向端部対の別の実施例について以下に説明する。
【００３２】
一連の図２ａ〜図２ｃは、パネル１および１’を接合して係止するための接合運動の原理を実施する複数のステップを示している。
【００３３】
各パネル１および１’の相補的形状部分５および６はフック形状部Ｈの形態で相補的な係止手段をそれぞれ形成する。パネル１のフック形状部は収容フック７を形成し、パネル１’のフック形状部は、収容フックに嵌入する鉤引フック８を形成し、この場合、２つのフック形状部は、拘束作用が達成され、これにより接合運動の反転が妨げられるような構成である。したがって、係止が行われた後に、再び、パネル１および１’は、敷設されているパネルの平面に対して垂直方向に互いに解除することはできない。
【００３４】
各パネル１および１’は、上述の相補的な係止手段が配置される本体９および９’をそれぞれ含む。パネルの表面４は作用面を形成する。
【００３５】
収容フック７には、本体から遠位にフック縁部１０が設けられると共に、本体に対して近位に収容凹部１１が設けられる。収容凹部１１は表面４に開く。
【００３６】
鉤引フック８は、本体に対して近位に配置されかつ裏面１２’に開く鉤引凹部１３が設けられ、本体から遠位に鉤引段部１４を有する。鉤引段部は垂直接合方向Ｔにおいて収容フックの収容凹部１１に嵌入する。さらに、鉤引フック８は、本体から遠位側に、横方向接合面１５とさらに垂直方向係止作用を達成する鉤引外郭部１６とを有する。収容フック７は、本体に対して近位側に、横方向接合面１７とさらにはポジティブロック外郭部１８とを有し、このポジティブロック外郭部１８はポジティブロック関係で鉤引フック８の鉤引外郭部１６と嵌合する。このようにして、係止作用をパネルの平面に対して垂直方向に実施することができる上部掛止手段Ｖ１が形成される。
【００３７】
鉤引フック８は、その鉤引段部１４の本体に対して近位側に配置された水平方向係止面１９も有する。鉤引段部１４と適合する関係において、収容フック７は、収容凹部１１の本体から遠位側に配置され、鉤引フック８の水平方向係止面１９と協働する水平方向係止面２０を有する。
【００３８】
収容フック７の収容凹部１１には、狭くなる収容開口部２１が設けられる。鉤引段部１４は、実質的に垂直接合方向Ｔにおいて、すなわち、係止されたパネルの平面に対して垂直な平面内において収容凹部１１に導入することができる。
【００３９】
図２ａ〜図２ｃを参照すると、パネル１は固定基板（不図示）上に収容フック７が配置される。パネル１’の鉤引段部１４はパネルの平面に対して垂直方向に（直交方向に）降ろされる。鉤引フック８の本体から遠位にある鉤引外郭部１６は雌型掛止要素１６ａ（凹部）を有する。雌型掛止要素１６ａは、パネル１’の表面４’に向けられておりかつ鉤引フック８の横方向接合面１５の平面の後方に引っ込められる掛止面１６ｂを有する。収容フック７の本体に対して近位にあるポジティブロック外郭部１８は、パネル１の裏面１２に向けられておりかつ収容フック７の横方向接合面１７の平面を越えて突出しかつ係止状態で鉤引フック８の雌型掛止要素１６ａの後方に係合する掛止面１８ｂを有する雄型掛止要素１８ａを有するような構成である。さらに、鉤引段部１４および収容開口部２１は、鉤引段部１４の自由端が、接合運動の開始中、フック形状部の特筆すべき弾性変形なしに収容開口部２１に最初に嵌入するような構成である。その状況では、鉤引フック８の水平方向係止面１９はその面の一部によって収容フック７の水平方向係止面２０と接する。
【００４０】
収容フック７には、図２ｂから最良に理解できる可撓脚部２２が設けられる。可撓脚部２２は、その弾性屈曲性によって収容開口部２１の幅を大きくすることができ、その結果、鉤引段部１４を問題なく収容凹部１１に挿入することができるような構成である。さらに、可撓脚部２２の屈曲性により、鉤引フック８の鉤引外郭部１６を収容フック７のポジティブロック外郭部１８に非常に容易に導入することができる。
【００４１】
接合運動の開始時、フック形状部は、係合位置で既に弾性的に変形されることがないように係合されるべきである。ここで、接合運動のさらなる進行により、アンダーカット領域、すなわち、鉤引外郭部の雌型掛止要素１６ａとポジティブロック外郭部の雄型掛止要素１８ａとが係合位置で接触されることになる。しかし、その接触は、実質的に他の位置で、すなわち、当該目的のために設けられた可撓脚部２２で生じる弾性変形の原因となる。明らかに、鉤引外郭部１６およびポジティブロック外郭部１８も押圧されて変形されるが、本体９／９’の材料が硬くなると、それに応じて鉤引外郭部１６およびポジティブロック外郭部１８の弾性変形が小さくなり、本体９／９’の材料が脆くなると、それに応じて可撓脚部２２の弾性変形の程度が大きくなる。
【００４２】
鉤引フック８の雌型掛止要素１６ａはより深くすることができ、収容フック７の雄型掛止要素１８ａは、可撓脚部２２を有しないパネルの場合よりも、収容フック７の横方向接合面１７からより遠くに突出することができる。アンダーカット形状の程度が増大することにより、接合されたパネル同士がパネル平面に対して垂直方向に互いに離れるように移動されることに対する抵抗性が向上する。抵抗性が向上したにもかかわらず、可撓脚部２２が収容開口部２１の拡大を許容するため、鉤引外郭部１６とポジティブロック外郭部１８を支障なく係合させることができる。このようにして、鉤引外郭部１６とポジティブロック外郭部１８とがポジティブロック係合して係止作用を展開するまで、激しい固有変形なしに鉤引外郭部１６とポジティブロック外郭部１８はお互いを越えて移動することができる。
【００４３】
図２ｂは、傾斜摺動面１４ａを形成する傾斜面が、鉤引段部１４の本体から遠位側に設けられることを示している。傾斜摺動面は収容フック７のポジティブロック外郭部１８の雄型掛止要素１８ａに接触する。これによって、鉤引フック８のハサミのような接合運動中に水平方向の移動が重畳され、この水平方向移動により、パネル１／１’が互いに離れるように移動され、その結果、横方向接合面１５／１７の間に間隔が形成される。それと同時に、鉤引フック８の水平方向係止面１９が、収容フック７の水平方向係止面２０に圧接する力を加える。収容フックの水平方向係止面２０に作用する力が収容フックの可撓脚部２２に伝達され、これによって、可撓脚部２２が弾性的に屈曲される。
【００４４】
さらに、図２ｂは、収容フック７がそのフック縁部１０に雄型掛止要素１０ａを有し、鉤引凹部１３に雌型掛止要素１３ａが設けられ、この雌型掛止要素１３ａが、雄型掛止要素１０ａと協働し、パネルの敷設された状態において、接合されたパネル同士のパネル平面に対して垂直方向に互いに離れるような運動も妨げることを示している。その構成により、上部掛止手段Ｖ１を支持する下部掛止手段Ｖ２が形成される。そのために、雌型掛止要素１３ａは、パネル１’の表面４’に向けられている掛止面１３ｂを有し、一方、雄型掛止要素１０ａは、パネル１の裏面１２に向けられておりかつ雌型掛止面１３ｂと協働する掛止面１０ｂを有する。
【００４５】
鉤引フック８は、接合工程で鉤引フック８の鉤引凹部１３が拡大され、雌型掛止要素１３ａが設けられた鉤引凹部へのフック縁部１０の導入を雄型掛止要素１０ａによって容易にするように設計される。そのために、可撓脚部２３が鉤引フックに設けられる。図２ｂのように収容フック７の水平方向係止面２０によって、力が鉤引フック８の水平方向係止面１９に外側から作用するとき、可撓脚部２３が前記力によって屈曲され、その結果、鉤引凹部１３が拡大され、組み込みが容易になる。
【００４６】
さらなる接合運動において、鉤引段部１４の最も広い位置が収容凹部１１の拡大された収容開口部２１を通過する。次に、可撓脚部２２の屈曲が減少し、収容開口部２１が再び狭くなる。間隔ｋのあるパネルの横方向接合面同士１５／１７は可撓脚部２２の曲げ応力によって互いに圧接される。それと同時に、可撓脚部２３の屈曲が減少し、さらに、フック縁部１０がポジティブロック関係で鉤引凹部１３内に通り、その上、パネルが可撓脚部２３の曲げ応力によって互いに対向するように押圧される。横方向閉鎖接合がもたらされるように、パネル同士が互いに対向して押圧することができる。
【００４７】
図２ｃでは、鉤引外郭部１６およびポジティブロック外郭部１８は、ポジティブロック関係で互いに嵌合する位置に達している。可撓脚部２２および２３の残りの曲げ応力が維持され、弾性力（ばね力）が収容フック７の水平方向係止面２０を介して加えられ、この弾性力が収容フック７の横方向接合面１７の方向において鉤引フック８の横方向接合面１５を永続的に付勢するように、フック形状部Ｈを設計することができる。そのようにして、横方向閉鎖接合を永続的に行うことができる。図２ｃでは、２つのフック形状部Ｈの水平方向係止面１９、２０は互いにぴったりと当接し、永続的な付勢力を発揮しない。
【００４８】
上部掛止手段Ｖ１および下部掛止手段Ｖ２は、最初に、上部掛止手段がそのポジティブロック位置内に達し、次に、下部掛止手段がそのポジティブロック位置内に達するように互いに適合される。そのために、収容フック７および鉤引フック８の曲げ特性（曲げ剛性度）を互いに適切に適合させることができる。
【００４９】
特に、収容フック７の曲げ剛性の実現は特定の配慮および完全性を必要とする。例えば収容フックが、足音を弱めかつパネルの表面４から伝達された圧力に対する支持をほとんど提供しない軟質基板内に屈曲される場合、可撓脚部２２の曲げ弾性は、十分な復元力を発生させて下部掛止手段Ｖ２のポジティブロック接合を保証しなければならない。
【００５０】
図３ａ〜図３ｃは、図２ａ〜図２ｃの実施形態に対する第１の代替実施形態を示している。同じ参照符号が同一の技術的特徴のために使用される。相違点は上部掛止手段Ｖ１の形状の変更にある。より具体的には、鉤引フックの鉤引外郭部１６には雄型掛止要素１６ｃが設けられる。鉤引外郭部１６は、ここではパネル１’の表面４’に向けられている掛止面１６ｄを有する。収容フック７のポジティブロック外郭部には、それに適合されかつここではパネル１の裏面１２に向けられている掛止面１８ｄを有する雌型要素１８ｃが設けられている。接合運動の開始時、鉤引フックの横方向接合面１５は、図２ａ〜図２ｃの実施形態におけるよりも、横方向接合面１７から大きい間隔にある。今や、雄型掛止要素１６ｃの先端は横方向接合面１７に当接しているので、鉤引段部１４は全体的に当該横方向接合面１７からより大きい間隔にある。それにもかかわらず、鉤引段部１４は水平方向係止面１９および２０を部分的に接触させることができるように収容凹部１１に嵌入するので、水平方向係止面２０は図２ａ〜図２ｃの実施形態におけるよりも大きく傾斜する。水平方向係止面１９／２０の傾斜は互いに適合されている。
【００５１】
図４ａ〜図４ｃは、上部掛止手段Ｖ１が図３ａ〜図３ｃの上部掛止手段Ｖ１と同一である実施形態を示している。上部掛止手段Ｖ１は、先の実施形態で説明したのと同じ機能を含むので、そこの説明に留意されたい。下部掛止手段Ｖ２の領域には、変更された形状が設けられている。より具体的には、収容フック７のフック縁部１０には、掛止面１０ｄを有する雌型掛止要素１０ｃが設けられている。この場合、当該掛止面１０ｄはパネル１の裏面１２に向けられている。前記掛止面１０ｄに適合させるために、鉤引フック８の鉤引凹部１３は雄型掛止要素１３ｃを有する。鉤引凹部１３には、パネル１’の表面４’に向けられている掛止面１３ｄが設けられている。
【００５２】
図５ａ〜図５ｃは、実施形態の上部掛止手段Ｖ１が、図２ａ〜図２ｃに対応する鉤引外郭部を有するが、この場合には、水平方向係止面１９が、より大きな傾斜角度を含む実施形態を示している。下部掛止手段Ｖ２は図４ａ〜図４ｃの下部掛止手段Ｖ２と同一である。下部掛止手段Ｖ２の当該形状を共に容易に係合できるようにするために、水平方向係止面１９の傾斜角度はより大きいことが望ましい。水平方向係止面２０の傾斜角度は水平方向係止面１９の傾斜角度に適合されている。
【００５３】
新しいパネル２４の敷設は、２つの長手方向端部および２つの横方向端部を有する新しい四辺形パネルを、同一形状のパネルが既に敷設されてなる先のパネル列Ｐ２に係止するために、それと同時に、同じパネル列Ｐ３に既に接合されている同一形状のパネル２５に係止するために提供される方法を実行することを含む。
【００５４】
図６ａは、本発明によるパネルからなる敷設パネル床面の形成を示している。パネル列Ｐ１〜Ｐ３は部分的に示されている。新しい四辺形パネル２４は概略的にのみ示されている。使用されるパネルは、相補的なポジティブロック旋回形状部分Ｓが設けられた一対の長手方向端部２４ａ／２４ｂと、相補的なフック形状部Ｈを有する一対の横方向端部２４ｃ／２４ｄとを有する実施形態を含む。旋回形状部分Ｓは、異なるパネル列を共に接続する働きをする。この実施形態では、フック形状部Ｈは、同じ列Ｐ３のパネルを共に接続する働きをする。一対の横方向端部のフック形状部Ｈは、図２ａ〜図５ｃに示した実施形態のいずれかのような構成とすることができる。
【００５５】
図６ａは、新しいパネル２４が最前列Ｐ３においてどのように接合されるか、すなわち、このパネル２４が先のパネル列Ｐ２に、さらには、同じ列Ｐ３の隣接パネル２５の横方向端部２５ｄにどのように係止されるべきであるかを示している。新しいパネル２４は、敷設されているパネルの平面に対して傾斜しておよびその旋回形状部分Ｓによって、先のパネル列Ｐ２に接合される。次に、新しいパネル２４は、敷設されているパネルの平面内への旋回運動によって、先のパネル列Ｐ２に係止される。その場合、それと同時に、新しいパネル２４の横方向端部２４ｃ（鉤引フック８）に設けられたフック形状部も、同じ列Ｐ３のパネル２５の横方向端部２５ｄ（収容フック７）に設けられたフック形状部に係止される。新しいパネル２４が、敷設されているパネルの平面内に旋回されている間、それと同時に、ハサミのような接合運動で鉤引フック８が収容フック７と係合される。
【００５６】
その場合、新しいパネル２４の長手方向端部２４ａおよび横方向端部２４ｃのポジティブロック接合部は、新しいパネル２４と先のパネル列Ｐ２との間に形成されている長手方向接合隙間Ｌと、パネル２５の横方向端部２５ｄと新しいパネル２４の横方向端部２４ｃとの間に形成されている横方向接合隙間Ｑとによって作られる。横方向接合隙間Ｑの楔状先端は先のパネル列Ｐ２の方向を向いており、長手方向接合隙間Ｌの楔状先端は、新しいパネル２４の第２の横方向端部２４ｄの方向を向いている。最後に、新しいパネル２４が、敷設されているパネルの平面内に旋回されるとき、横方向端部２４ｃ／２５ｄおよび長手方向端部２４ａと先のパネル列Ｐ２とのポジティブロック接合部が嵌合された状態で完全に作られ、楔状の接合隙間ＱおよびＬが排除される。
【００５７】
新しいパネル２４が、先のパネル列Ｐ２に対してその平行な向きから一時的に持ち込まれることによって、および長手方向接合隙間Ｌの楔状先端が、新しいパネル２４の第１の長手方向端部２４ａの遠位端に作られることによって、長手方向接合隙間Ｌが作られる。
【符号の説明】
【００５８】
１  パネル
１’  パネル
２  溝状部分
２ａ  上部溝壁
２ｂ  下部溝壁
２ｃ  凹部
２ｄ  水平方向係止面
３  サネ状部分
３ａ  サネ部表面
３ｂ  サネ部裏面
３ｃ  アンダーカット形状
３ｄ  水平方向係止面
４  表面
４’  表面
５  相補的形状部
６  相補的形状部
７  収容フック
８  鉤引フック
９  本体
９’  本体
１０  フック縁部
１０ａ  雄型掛止要素
１０ｂ  掛止面
１０ｃ  雌型掛止要素
１０ｄ  掛止面
１１  収容凹部
１２  裏面
１２’  裏面
１３  鉤引凹部
１３ａ  雌型掛止要素
１３ｂ  掛止面
１４  鉤引段部
１４ａ  傾斜摺動面
１５  横方向接合面（鉤引フック）
１６  鉤引外郭部
１６ａ  雌型掛止要素
１６ｂ  掛止面
１６ｃ  雄型掛止要素
１６ｄ  掛止面
１７  横方向接合面（収容フック）
１８  ポジティブロック外郭部
１８ａ  雄型掛止要素
１８ｂ  掛止面
１８ｃ  雌型掛止要素
１８ｄ  掛止面
１９  水平方向係止面（鉤引フック）
２０  水平方向係止面（収容フック）
２１  収容開口部
２２  可撓脚部（収容フック）
２３  可撓脚部（鉤引フック）
２４  新しいパネル
２４ａ  長手方向端部
２４ｂ  長手方向端部
２４ｃ  横方向端部
２４ｄ  横方向端部
２５  パネル
２５ｄ  横方向端部
Ｈ  フック形状部
Ｌ  長手方向接合隙間
Ｑ  横方向接合隙間
Ｓ  旋回形状部分
Ｔ  接合方向
Ｖ１  上部掛止手段
Ｖ２  下部掛止手段
【図１】
0005889919.tif 000002
【図２ａ】
0005889919.tif 000003
【図２ｂ】
0005889919.tif 000004
【図２ｃ】
0005889919.tif 000005
【図３ａ】
0005889919.tif 000006
【図３ｂ】
0005889919.tif 000007
【図３ｃ】
0005889919.tif 000008
【図４ａ】
0005889919.tif 000009
【図４ｂ】
0005889919.tif 000010
【図４ｃ】
0005889919.tif 000011
【図５ａ】
0005889919.tif 000012
【図５ｂ】
0005889919.tif 000013
【図５ｃ】
0005889919.tif 000014
【図６ａ】
0005889919.tif 000015
【図６ｂ】
0005889919.tif 000016
【図６ｃ】
0005889919.tif 000017